(57)【要約】【課題】ホームページ等に情報の閲覧者に応じて表示する情報を、簡易に変更できるようにする。【解決手段】テンプレート１２ａの内の書換部分１２２を、予め記録しておいた個別情報に書き換える。【選択図】　図２
2004118636.tif 000002
【特許請求の範囲】
【請求項１】
情報を書き換えるべき書換部分が指定されている基本表示情報を記録する基本表示情報記録手段と、
前記書換部分に代入する個別情報が記録されている個別情報記録手段と、
前記基本表示情報記録手段から前記基本表示情報を読み出し、前記個別情報記録手段から前記個別情報を読み出し、前記基本表示情報における前記書換部分を前記個別情報に書き換えた個別化表示情報を出力する個別化表示情報出力手段と、
を備えた個別化表示情報生成装置。
【請求項２】
請求項１に記載の個別化表示情報生成装置であって、
前記個別情報は前記個別化表示情報の閲覧者に応じて決められている個別化表示情報生成装置。
【請求項３】
請求項１に記載の個別化表示情報生成装置であって、
前記基本表示情報および前記個別化表示情報はｈｔｍｌ形式またはｘｍｌ形式に従い記載されている個別化表示情報生成装置。
【請求項４】
請求項１に記載の個別化表示情報生成装置であって、
前記書換部分は前記個別情報の種類を指定し、
前記個別化表示情報出力手段は、指定された前記個別情報の種類に基づき、前記書換部分を前記個別情報に書き換える、
個別化表示情報生成装置。
【請求項５】
請求項４に記載の個別化表示情報生成装置であって、
前記個別情報の種類はＵＲＬを含む
個別化表示情報生成装置。
【請求項６】
情報を書き換えるべき書換部分が指定されている基本表示情報を記録する基本表示情報記録工程と、
前記書換部分に代入する個別情報を記録する個別情報記録工程と、
前記基本表示情報記録工程における記録内容から前記基本表示情報を読み出し、前記個別情報記録工程における記録内容から前記個別情報を読み出し、前記基本表示情報における前記書換部分を前記個別情報に書き換えた個別化表示情報を出力する個別化表示情報出力工程と、
を備えた個別化表示情報生成方法。
【請求項７】
情報を書き換えるべき書換部分が指定されている基本表示情報を記録する基本表示情報記録手段と、前記書換部分に代入する個別情報を記録する個別情報記録手段とを有する個別化表示情報生成装置における個別化表示情報生成処理をコンピュータに実行させるためのプログラムであって、
前記基本表示情報記録手段から前記基本表示情報を読み出し、前記個別情報記録手段から前記個別情報を読み出し、前記基本表示情報における前記書換部分を前記個別情報に書き換えた個別化表示情報を出力する個別化表示情報出力処理をコンピュータに実行させるためのプログラム。
【請求項８】
情報を書き換えるべき書換部分が指定されている基本表示情報を記録する基本表示情報記録手段と、前記書換部分に代入する個別情報を記録する個別情報記録手段とを有する個別化表示情報生成装置における個別化表示情報生成処理をコンピュータに実行させるためのプログラムを記録したコンピュータによって読み取り可能な記録媒体であって、
前記基本表示情報記録手段から前記基本表示情報を読み出し、前記個別情報記録手段から前記個別情報を読み出し、前記基本表示情報における前記書換部分を前記個別情報に書き換えた個別化表示情報を出力する個別化表示情報出力処理をコンピュータに実行させるためのプログラムを記録したコンピュータによって読み取り可能な記録媒体。
【発明の詳細な説明】
【０００１】
【発明の属する技術分野】
本発明は、閲覧者に応じたホームページの個別化（パーソナライズ）に関する。
【０００２】
【従来の技術】
従来より、住宅ローンに関する情報をホームページによりクライアントに閲覧させることが行われている。住宅ローンの条件（金利など）は、クライアントの勤務する会社ごとに異なる場合がある。そこで、クライアントに応じて、閲覧させるホームページを変えたい場合がある。このように、クライアントに応じて閲覧させるホームページを変えることを、ホームページの個別化（パーソナライズ）という。ホームページのパーソナライズを人手で行うのは大変なことなので、自動的に行える方が好ましい。
【０００３】
ホームページのパーソナライズは、日本ブロードビジョン株式会社が行っている。具体的には、クライアントがホームページのどの情報を閲覧したかに基づき、ビジネスルールにしたがって、ホームページに表示させる情報を変更していく。例えば、クライアントがホームページに表示されるもののなかで釣竿を見ると、ビジネスルール「釣竿を見るならば釣りに興味があるので釣り道具を表示させる」に基づき、ホームページには釣り道具しか表示されなくなるといったようなものである。変更のためのプログラムは、ホームページの表示内容を決定するｈｔｍｌ（ｈｙｐｅｒ　ｔｅｘｔ　ｍａｒｋｕｐ　ｌａｎｇｕａｇｅ）ファイルに埋めこむ。
【０００４】
また、日本ブロードビジョン株式会社の親会社であるＢｒｏａｄＶｉｓｏｎ，　Ｉｎｃ．が権利者と思われる特許文献１が存在している。
【０００５】
【特許文献１】
米国特許第５７１０８８７号明細書
【発明が解決しようとする課題】
しかしながら、従来技術に記載したように、設定に専門的な知識が必要なビジネスルールを利用してホームページのパーソナライズを行うのでは、実装に非常に手間がかかる。例えば、ホームページのパーソナライズがうまくいくようにするためには、ビジネスルールを新しい商品を常に反映しながらよほどうまく繰り返し整備しないとならない。さもないと、クライアントの常に変化する新しい嗜好に対応できず、クライアントが見たい情報が表示されないということが起こり得る。また、ビジネスルールに基づき、表示内容を決定するプログラムの構築もまた大変な作業である。
【０００６】
これでは、パーソナライズの労力が軽減されても、ビジネスルールおよびプログラムなどの実装にかかる労力が大きすぎ、クライアントのニーズに充分対応できない。
【０００７】
そこで、本発明は、ホームページ等に情報の閲覧者に応じて表示する情報を、クライアントの嗜好の変化や新しい商品の提供等に応じて簡易に変更できるようにすることを課題とする。
【０００８】
【課題を解決するための手段】
請求項１に記載の発明は、情報を書き換えるべき書換部分が指定されている基本表示情報を記録する基本表示情報記録手段と、書換部分に代入する個別情報が記録されている個別情報記録手段と、基本表示情報記録手段から基本表示情報を読み出し、個別情報記録手段から個別情報を読み出し、基本表示情報における書換部分を個別情報に書き換えた個別化表示情報を出力する個別化表示情報出力手段とを備えたように構成される。
【０００９】
上記のように構成された個別化表示情報生成装置によれば、基本表示情報の内の書換部分が個別情報に書き換えられて個別化表示情報となるので、個別化表示情報の閲覧者に応じて表示内容を容易に変更できる。
【００１０】
請求項２に記載の発明は、請求項１に記載の発明であって、個別情報は個別化表示情報の閲覧者に応じて決められているように構成される。
【００１１】
請求項３に記載の発明は、請求項１に記載の発明であって、基本表示情報および個別化表示情報はｈｔｍｌ形式またはｘｍｌ形式に従い記載されているように構成される。
【００１２】
請求項４に記載の発明は、請求項１に記載の発明であって、書換部分は個別情報の種類を指定し、個別化表示情報出力手段は、指定された個別情報の種類に基づき、書換部分を個別情報に書き換えるように構成される。
【００１３】
請求項５に記載の発明は、請求項４に記載の発明であって、個別情報の種類はＵＲＬを含むように構成される。
【００１４】
請求項６に記載の発明は、情報を書き換えるべき書換部分が指定されている基本表示情報を記録する基本表示情報記録工程と、書換部分に代入する個別情報を記録する個別情報記録工程と、基本表示情報記録工程における記録内容から基本表示情報を読み出し、個別情報記録工程における記録内容から個別情報を読み出し、基本表示情報における書換部分を個別情報に書き換えた個別化表示情報を出力する個別化表示情報出力工程とを備えたように構成される。
【００１５】
請求項７に記載の発明は、情報を書き換えるべき書換部分が指定されている基本表示情報を記録する基本表示情報記録手段と、書換部分に代入する個別情報を記録する個別情報記録手段とを有する個別化表示情報生成装置における個別化表示情報生成処理をコンピュータに実行させるためのプログラムであって、基本表示情報記録手段から基本表示情報を読み出し、個別情報記録手段から個別情報を読み出し、基本表示情報における書換部分を個別情報に書き換えた個別化表示情報を出力する個別化表示情報出力処理をコンピュータに実行させるためのプログラムである。
【００１６】
請求項８に記載の発明は、情報を書き換えるべき書換部分が指定されている基本表示情報を記録する基本表示情報記録手段と、書換部分に代入する個別情報を記録する個別情報記録手段とを有する個別化表示情報生成装置における個別化表示情報生成処理をコンピュータに実行させるためのプログラムを記録したコンピュータによって読み取り可能な記録媒体であって、基本表示情報記録手段から基本表示情報を読み出し、個別情報記録手段から個別情報を読み出し、基本表示情報における書換部分を個別情報に書き換えた個別化表示情報を出力する個別化表示情報出力処理をコンピュータに実行させるためのプログラムを記録したコンピュータによって読み取り可能な記録媒体である。
【００１７】
【発明の実施の形態】
以下、本発明の実施の形態を図面を参照して説明する。
【００１８】
図１は、本発明の実施の形態にかかる個別化ホームページ作成装置（個別化表示情報作成装置）１の構成を示す機能ブロック図である。
【００１９】
個別化ホームページ作成装置１は、テンプレート記録部（基本表示情報記録手段）１２、個別情報記録部１４、個別化表示情報出力部１６、個別化表示情報記録部１８を備える。
【００２０】
テンプレート記録部（基本表示情報記録手段）１２はテンプレート（基本表示情報）１２ａを記録する。テンプレート１２ａは、書換部分１２２、共通部分１２４を有する。テンプレート１２ａの一例を図２に示す。テンプレート１２ａはｈｔｍｌ形式に則って記載された文である。なお、ｈｔｍｌ形式のかわりに、ｈｔｍｌ形式を発展させた形式（例えば、ｘｍｌ形式）であってもかまわない。特に、テンプレート１２ａの書式をｈｔｍｌ形式に限定するものではない。書換部分１２２は、ホームページの個別化のために情報を書き換えるべき部分である。書換部分１２２は、例えば＊＜ｔｏｐ−ＴＸＴ＞＊、＊＜Ｌ０１−ＬＮＫ＞＊といったように記載されている。ここで、ＴＸＴ、ＬＮＫとあるのは、書換部分１２２に代入される情報の種類を指定したものである。ＴＸＴは単なる文字情報、ＬＮＫはＵＲＬ（ｕｎｉｖｅｒｓａｌ　ｒｅｓｏｕｒｃｅ　ｌｏｃａｔｏｒ）、いわゆるリンクである。共通部分１２４は、ホームページを個別化する際にも特に変更を必要としない部分である。図２においては、図示の便宜上、Ｘと記載した部分である。なお、本来は、共通部分１２４にはＸではなく有意な文字列が記載されている。
【００２１】
個別情報記録部１４は、書換部分１２２に代入する個別情報が記録されている。個別情報記録部１４の記録内容の一例を図３に示す。左列にはコメントが、中列には個別情報を代入すべき位置が、右列には個別情報が記録されている。例えば、＊＜ｔｏｐ−ＴＸＴ＞＊と記載された位置を「ＡＢＣ株式会社の皆様へ」と書き換えることを意味している。なお、これは表題部である。個別情報はクライアントに応じて決められる。図３の例では、クライアントはＡＢＣ株式会社の社員であるということを想定しており、個別情報はそれに応じた内容になっている。個別情報記録部１４の記録内容はクライアントの嗜好の変化や新商品の提供に応じて適宜書き換えることが好ましい。
【００２２】
個別化表示情報出力部１６は、テンプレート記録部１２からテンプレート１２ａを読み出し、個別情報記録部１４から個別情報を読み出す。そして、テンプレート１２ａにおける書換部分１２２を個別情報に書き換えた個別化表示情報を出力する。個別化表示情報もまたｈｔｍｌ形式に則って記載された文である。なお、ｈｔｍｌ形式のかわりに、ｈｔｍｌ形式を発展させた形式（例えば、ｘｍｌ形式）であってもかまわない。特に、個別化表示情報の書式をｈｔｍｌ形式に限定するものではない。個別化表示情報をｗｅｂブラウザにより閲覧したものが個別化されたホームページである。なお、書換部分１２２を個別情報に書き換えるにあたっては、書換部分１２２により指定された種類に基づいて行う。
【００２３】
個別化表示情報出力部１６の出力する個別化表示情報１６ａの一例を図４に示す。個別化表示情報１６ａは、個別化部分１６２、共通部分１６４を有する。個別化部分１６２は書換部分１２２に、共通部分１６４は共通部分１２４に対応する。個別化部分１６２は、書換部分１２２が個別情報に書き換えられた部分である。例えば、＊＜ｔｏｐ−ＴＸＴ＞＊と記載された書換部分１２２が、個別情報記録部１４の記録内容に基づき、「ＡＢＣ株式会社の皆様へ」と記載された個別化部分１６２となる。また、＊＜Ｌ０１−ＬＮＫ＞＊と記載された書換部分１２２が、個別情報記録部１４の記録内容（“７０００”）に基づき、「ｈｔｔｐ：／／…．Ｌ７０００．ｈｔｍ」と記載された個別化部分１６２となる。この部分は、ＵＲＬ（リンク）となっている。ＵＲＬ（リンク）の内のドメイン名等はデフォルトのものを補充する。共通部分１６４は共通部分１２４と同一である。なお、このリンクをクリックすれば、図５に示すような商品（ローン）解説画面が表示される。
【００２４】
個別化表示情報記録部１８は、個別化表示情報出力部１６の出力する個別化表示情報１６ａを記録する。記録された個別化表示情報１６ａは、個別化されたホームページを表示したい業者等に配布される。そして、個別化表示情報１６ａは図示省略したｗｅｂサーバによりｗｅｂブラウザに表示される。
【００２５】
次に、本発明の実施形態の動作を説明する。
【００２６】
まず、テンプレート記録部１２にテンプレート１２ａを記録させておく。そして、個別情報記録部１４に個別情報を記録する。その後、個別化表示情報出力部１６を作動させ、テンプレート１２ａの書換部分１２２を個別情報に書き換える。書換部分１２２には、ＴＸＴ、ＬＮＫというように情報の種類が記録されており、この情報の種類に基づき、個別情報の書換部分１２２への書き換えが行われる。個別化表示情報出力部１６がテンプレート１２ａを書き換えたものは個別化表示情報１６ａとして、個別化表示情報記録部１８に記録される。
【００２７】
本発明の実施形態によれば、テンプレート１２ａの内の書換部分１１２が個別情報に書き換えられて個別化表示情報１６ａとなるので、個別化表示情報１６ａの閲覧者に応じて表示内容を容易に変更できる。
【００２８】
しかも、個別情報記録部１４の記録内容である個別情報は図３に示すように単純な表形式に基づき記録されているので、クライアントの嗜好の変化や新しい商品の提供等に応じて簡単に書き換えることができる。従来技術に記載したようなビジネスルールをｈｔｍｌファイルに埋めこむようなタイプのものでは、個別情報の書き換えが困難であることと好対照である。
【００２９】
また、書換部分１２２において代入される情報の種類を指定するので、色々な種類の情報に書き換えることができる。
【００３０】
さらに、個別化表示情報１６ａは、それだけを見たのでは、どこが書き換わっているか（どこが個別化部分１６２なのか）がわからない。よって、どのように個別化するかをノウハウとして業者等から秘匿したい場合には特に有効である。なお、図４を一見すると、共通部分１６４はＸと記載されているので、個別化部分１６２がわかりやすいように見える。しかし、本来は、共通部分１６４にはＸではなく有意な文字列が記載されているため、どこが個別化部分１６２なのかはわかりにくい。
【００３１】
また、上記の実施形態は、以下のようにして実現できる。ＣＰＵ、ハードディスク、メディア（フロッピーディスク、ＣＤ−ＲＯＭなど）読み取り装置を備えたコンピュータのメディア読み取り装置に、上記の各部分（例えば、テンプレート記録部１２、個別情報記録部１４、個別化表示情報出力部１６、個別化表示情報記録部１８）を実現するプログラムを記録したメディアを読み取らせて、ハードディスクにインストールする。このような方法でも、上記の機能を実現できる。
【図面の簡単な説明】
【図１】本発明の実施の形態にかかる個別化ホームページ作成装置（個別化表示情報作成装置）１の構成を示す機能ブロック図である。
【図２】テンプレート１２ａの一例を示す図である。
【図３】個別情報記録部１４の記録内容の一例を示す図である。
【図４】個別化表示情報出力部１６の出力する個別化表示情報１６ａの一例を示す図である。
【図５】リンクされている商品（ローン）解説画面である。
【符号の説明】
１　個別化ホームページ作成装置
１２　テンプレート記録部（基本表示情報記録手段）
１２ａ　テンプレート
１２２　書換部分
１２４　共通部分
１４　個別情報記録部
１６　個別化表示情報出力部
１６ａ　個別化表示情報
１６２　個別化部分
１６４　共通部分
１８　個別化表示情報記録部
【図１】
2004118636.tif 000003
【図２】
2004118636.tif 000004
【図３】
2004118636.tif 000005
【図４】
2004118636.tif 000006
【図５】
2004118636.tif 000007